(57)【要約】      （修正有）【課題】唾液飛沫の飛散を防止し、あごブラケットは上下の高さ、前後の傾斜角度を調整でき、遮蔽片の取り外し、交換、取り付けを迅速に行うことができる遮口カバーを提供する。【解決手段】メインブラケット体１は人の顔部分の曲線に近い弧状に形成し、遮蔽片２は底縁がメインブラケット体１上に結合し、メインブラケット体１と共同で弧状曲面形態を形成し、メインブラケット体１中央には、可動接続孔１１１を備える１組の可動接続突起１１を設置する。あごブラケット３上にはメインブラケット体１の可動接続突起１１と対応し、相互に可動状に接続する１組の可動接続部３１を形成し、各可動接続部３１上にはピボット３１１をそれぞれ設置する。メインブラケット体１の可動接続突起１１の可動接続孔１１１にそれぞれ対応し、あごブラケット３とメインブラケット体１とは可動状に接続して一体に結合し、これによりあごブラケット３の前後傾斜角度を調整可能となる。【選択図】図１
0003175269.tif 000002
【実用新案登録請求の範囲】
【請求項１】
遮口カバーの構造は、メインブラケット体、遮蔽片、あごブラケット、１組の耳掛けベルトを備え、
前記メインブラケット体は、人の顔部分の曲線に近い弧状設計を呈し、
前記遮蔽片は、底縁が前記メインブラケット体上に結合し、前記メインブラケット体と共同で弧状曲面形態を形成し、
前記メインブラケット体内面中央には、可動接続孔を備える１組の可動接続突起を設置し、
前記あごブラケット上方両端には、前記メインブラケット体の可動接続突起と対応し、相互に可動状に接続する１組の可動接続部を形成し、
前記各可動接続部上には、ピボットをそれぞれ設置し、これにより前記メインブラケット体の可動接続突起の可動接続孔にそれぞれ対応し、
こうして、前記あごブラケットと前記メインブラケット体とは、可動状に接続して、一体に結合し、
これにより、前記あごブラケットの前後傾斜角度を調整可能となる他、形状、サイズの異なるあごブラケットに交換することができ、
前記あごブラケット上内側には、持上げ部を形成し、これにより前記遮口カバーを外へと持上げ、こうして前記遮蔽片と口、鼻との間に一定の間隔距離を空けることができ、
さらに、前記メインブラケット体の両端には、前記耳掛けベルトをそれぞれ嵌めて接続し、これにより耳に掛けて使用することができることを特徴とする遮口カバーの構造。
【請求項２】
前記あごブラケットの可動接続部と前記メインブラケット体の２個の可動接続突起の相対接触面上には、中心から四方へと放射状に延びる歯形をそれぞれ設置し、
相互に噛み合う歯形の設計により、前記あごブラケットの角度を調整する時には、各角度において定位することができることを特徴とする請求項１に記載の遮口カバーの構造。
【請求項３】
前記遮蔽片の底縁には、別に、組合せ棒状ベースを結合し、
前記メインブラケット体上には、前記組合せ棒状ベース両端を嵌入させる嵌槽を設置し、
前記メインブラケット体内面には、少なくとも１個の定位凹孔を設置し、
前記組合せ棒状ベース上には、前記メインブラケット体の定位凹孔と対応する定位凸部を設置し、
前記遮蔽片を組み合わせる時には、その底縁の組合せ棒状ベース両端を、前記メインブラケット体に設置する嵌槽内に、嵌めて組合せ、
これにより、前記組合せ棒状ベースの定位凸部と、前記メインブラケット体の定位凹孔とは、相互に嵌合して定位され、
こうして、前記遮蔽片を迅速に取り外し、組み合わせて、交換することができることを特徴とする請求項１に記載の遮口カバーの構造。
【請求項４】
前記あごブラケットの持上げ部と前記メインブラケット体との間には、通気貫通孔槽を形成し、これにより装着者の口から吐き出された気体は、前記通気貫通孔槽から迅速に、下方へと排出されることを特徴とする請求項１に記載の遮口カバーの構造。
【請求項５】
前記メインブラケット体中段には、通気貫通孔槽を設置することを特徴とする請求項１に記載の遮口カバーの構造。
【請求項６】
前記遮蔽片頂点縁中央位置には、欠口を設置し、
これにより、鼻呼吸がスムーズになり、熱が前記遮蔽片内に留まることはなく、装着時の快適感を大幅に高めることができることを特徴とする請求項１に記載の遮口カバーの構造。
【請求項７】
遮口カバーの構造は、メインブラケット体、遮蔽片、あごブラケット、１組の耳掛けベルトを備え、
前記メインブラケット体は、人の顔部分の曲線に近い弧状設計を呈し、
前記遮蔽片は、底縁が前記メインブラケット体上に結合し、前記メインブラケット体と共同で弧状曲面形態を形成し、
前記メインブラケット体内面中央には、レール槽を備えるスライドレール台を設置し、  前記あごブラケットの対応位置には、レール板を設置し、
これにより、前記レール板の２個の側縁は、前記スライドレール台のレール槽内に組み合わされ、
こうして、前記あごブラケットは、上下に高度調整が可能となり、
さらに、前記レール板と前記スライドレール台との相対位置に設置する定位凸部と定位凹孔により、前記あごブラケットを各高度に定位する目的を達成することができ、
前記あごブラケット上内側には、持上げ部を形成し、これにより前記遮口カバーを外へと持上げ、こうして前記遮蔽片と口、鼻との間に一定の間隔距離を空けることができ、
さらに、前記メインブラケット体の両端には、前記耳掛けベルトをそれぞれ嵌めて接続し、これにより耳に掛けて使用することができることを特徴とする遮口カバーの構造。
【請求項８】
前記レール板の２個の側縁の相対する外側において、前記あごブラケットの持上げ部から、それぞれ制限板を延伸して形成し、
これにより、前記レール板の２個の側縁が、スライドレール台のレール槽内に組み合わされる時、前記１組の制限板は、前記スライドレール台両外側に対応し、こうして前記あごブラケットは、上下に高さを調製する時、安定させることができることを特徴とする請求項７に記載の遮口カバーの構造。
【請求項９】
前記あごブラケットの持上げ部のレール板両側と前記メインブラケット体との間には、通気貫通孔槽を形成し、これにより装着者の口から吐き出された気体は、前記通気貫通孔槽から迅速に、下方へと排出されることを特徴とする請求項７に記載の遮口カバーの構造。
【請求項１０】
遮口カバーの構造は、メインブラケット体、遮蔽片、可動接続台、あごブラケット、１組の耳掛けベルトを備え、
前記メインブラケット体は、人の顔部分の曲線に近い弧状設計を呈し、
前記遮蔽片は、底縁が前記メインブラケット体上に結合し、前記メインブラケット体と共同で弧状曲面形態を形成し、
前記メインブラケット体内面中央には、レール槽を備えるスライドレール台を設置し、
前記可動接続台と前記スライドレール台との相対位置には、レール板を設置し、
これにより、前記レール板の２個の側縁は、前記レール槽内に組み合わされ、
前記可動接続台上方両端には、可動接続孔を備える可動接続突起を設置し、
前記あごブラケット上方両端には、前記可動接続台の可動接続突起と対応し、相互に可動状に接続する１組の可動接続部を形成し、
前記各可動接続部上には、ピボットをそれぞれ設置し、前記あごブラケットの２個のピボットと可動接続孔とを、可動接続させて結合し、
こうして、前記あごブラケットは、上下に調整可能な他、前後に傾斜角度を調整することもできることを特徴とする遮口カバーの構造。
【請求項１１】
前記あごブラケットの持上げ部と前記可動接続台との間には、通気貫通孔槽を形成し、これにより装着者の口から吐き出された気体は、前記通気貫通孔槽から迅速に、下方へと排出されることを特徴とする請求項１０に記載の遮口カバーの構造。
【請求項１２】
前記遮蔽片底縁に別に、１組の組合せ棒状ベースを結合し、
前記メインブラケット体上には、前記組合せ棒状ベース両端を嵌入させる嵌槽を設置し、
前記メインブラケット体内面には、少なくとも１個の定位凹孔を設置し、
前記組合せ棒状ベース上には、前記メインブラケット体の定位凹孔と対応する定位凸部を設置し、
こうして、前記遮蔽片を迅速に取り外し、組み合わせて、交換することができることを特徴とする請求項１０に記載の遮口カバーの構造。
【請求項１３】
遮口カバーの構造は、メインブラケット体、遮蔽片、可動接続台、あごブラケット、１組の耳掛けベルトを備え、
前記メインブラケット体は、人の顔部分の曲線に近い弧状設計を呈し、
前記遮蔽片は、底縁が前記メインブラケット体上に結合し、
前記メインブラケット体内面中段には、端部に円形嵌合体を備える１組の嵌合柱を設置し、
前記あごブラケット上には、１組の円形嵌合体と対応を形成し、相互に嵌合可能な弾性嵌接部を形成し、
前記あごブラケットの弾性嵌接部と前記メインブラケット体内面に設置する嵌合柱端部の円形嵌合体を組み合わせた後、前記あごブラケット下端は、前記円形嵌合体を支点として、前後に調整され、
前記各円形嵌合体表面は共にラフ面で、これにより前記円形嵌合体と弾性嵌接部の円形挟合空間との摩擦力を増強することができ、
前記あごブラケット上内側には、持上げ部を形成し、これにより前記遮口カバーを外へと持上げ、こうして前記遮蔽片と口、鼻との間に一定の間隔距離を空けることができ、
さらに、前記メインブラケット体の両端には、前記耳掛けベルトをそれぞれ嵌めて接続し、これにより耳に掛けて使用することができることを特徴とする遮口カバーの構造。
【請求項１４】
前記各弾性嵌接部は、少なくとも１組の円形挟合部品により構成され、その内部には、円形挟合空間を形成し、前記メインブラケット体に設置する嵌合柱端部の円形嵌合体を、前記あごブラケット上の前記１組の弾性嵌接部内にそれぞれ組み合わせて入れ、
こうして、前記弾性嵌接部の１組の弾性挟合部品により円形嵌合体を、前記円形挟合空間内に、挟合して定位することを特徴とする請求項１３に記載の遮口カバーの構造。
【請求項１５】
前記あごブラケットの持上げ部と前記メインブラケット体との間には、通気貫通孔槽を形成し、排気の目的を達成することを特徴とする請求項１３に記載の遮口カバーの構造。
【請求項１６】
前記メインブラケット体中段には、通気貫通孔槽を設置し、排気の目的を達成することを特徴とする請求項１３に記載の遮口カバーの構造。
【請求項１７】
前記メインブラケット体中段には、１個以上の異なる形状の通気孔を設置し、排気の目的を達成することを特徴とする請求項１３に記載の遮口カバーの構造。
【請求項１８】
前記メインブラケット体中段内面には、１組の嵌接柱を設置し、
前記あごブラケット上には、１組の嵌接柱と対応する嵌組部を形成し、
前記各嵌組部上には、１組の嵌接柱と相互に嵌合する嵌組槽孔を設置し、
これにより、前記あごブラケットは、前記メインブラケット体と迅速に組み合わされ、及び取り外されることを特徴とする請求項１３に記載の遮口カバーの構造。
【請求項１９】
遮口カバーの構造は、メインブラケット体、遮蔽片、可動接続台、あごブラケット、１組の耳掛けベルトを備え、
前記メインブラケット内面中央に、可動接続部を設置し、
前記可動接続部両側には、対応するピボットをそれぞれ設置し、
前記あごブラケットの対応する位置には、前端に開口を備える弾性嵌接部を設置し、
前記各弾性嵌接部にはすべて嵌挟槽を備え、前記可動接続部両側のピボットを、それぞれあごブラケットの弾性嵌接部前端開口から、嵌挟槽内に入れ、
こうして、前記あごブラケット下端は、１組のピボットを支点にして、前後に調整され、前記各ピボット表面及び前記嵌挟槽内面には共に、凸紋を備え、こうして、挟持の摩擦力を増強することができることを特徴とする遮口カバーの構造。
【考案の詳細な説明】
【技術分野】
【０００１】
本考案は遮口カバーの構造に関し、特に唾液飛沫の飛散を防止し、あごブラケットは上下の高さ、前後の傾斜角度を調整でき、遮蔽片の取り外し、交換、取り付けを迅速に行うことができる遮口カバーの構造に関する。
【背景技術】
【０００２】
従来の遮口カバー設計は、唾液飛沫の飛散を防止する機能を備える。従来の遮口カバー設計において、そのあごブラケットと遮蔽片は、同一軸線の形態を呈する。しかし、人の顔では、あごの形状と長さ、あごと鼻との間の距離、鼻の大きさは人それぞれで、みな異なる。そのため、装着後、遮蔽片と鼻部及び口部の距離が近くなり過ぎ、これにより会話の明晰度に影響を及ぼしてしまう。さらに、メガネが曇り視野に影響を及ぼし、呼吸がスムーズにできないという問題も生じる。本考案は、従来の遮口カバーの構造の上記した欠点に鑑みてなされたものである。        
【考案の概要】
【考案が解決しようとする課題】
【０００３】
本考案が解決しようとする第一の課題は、メインブラケット体中央に、あごブラケットを、メインブラケット体と可動状に接続して結合する可動接続突起を設置し、これによりあごブラケットは、必要に応じて前後傾斜を調整することができる遮口カバーの構造を提供することである。
本考案が解決しようとする第二の課題は、メインブラケット体内面中央には、レール槽を備えるスライドレール台を設置し、あごブラケットの対応位置には、レール板を設置し、レール板の２個の側縁は、スライドレール台のレール槽内に組み合わされ、あごブラケットは、必要に応じて上下高度を調整することができる遮口カバーの構造を提供することである。
本考案が解決しようとする第三の課題は、遮蔽片の外縁には別に、組合せ棒状ベースを結合し、メインブラケット体上には組合せ棒状ベース両端を嵌入させる嵌槽を設置し、メインブラケット体内面及び組合せ棒状ベース上には、少なくとも１個の対応する定位凹孔と定位凸部をそれぞれ設置し、遮蔽片を組み合わせる時には、その底縁の組合せ棒状ベース両端を、メインブラケット体に設置する嵌槽内に嵌めて組合せ、組合せ棒状ベースの定位凸部と、メインブラケット体の定位凹孔とは、相互に嵌合して定位され、迅速に取り外し、組み合わせて、交換することができる遮口カバーの構造を提供することである。
本考案が解決しようとする第四の課題は、あごブラケット持上げ部とメインブラケット体との間には、通気貫通孔槽を形成し、メインブラケット体中段には通気貫通孔槽を設置し、装着者の口から吐き出された気体は、迅速に、通気貫通孔槽から下方へと排出され、同時に、遮蔽片頂点縁中央位置には、欠口を設置し、これにより鼻呼吸がスムーズになり、熱が遮蔽片内に留まることはなく、装着時の快適感を大幅に高めることができる遮口カバーの構造を提供することである。
【課題を解決するための手段】
【０００４】
上記課題を解決するため、本考案は下記の遮口カバーの構造を提供する。
遮口カバーの構造は、メインブラケット体、遮蔽片、あごブラケット、１組の耳掛けベルトを備え、
該メインブラケット体は、人の顔部分の曲線に近い弧状設計を呈し、
該遮蔽片は、底縁が該メインブラケット体上に結合し、該メインブラケット体と共同で弧状曲面形態を形成し、
該メインブラケット体内面中央には、可動接続孔を備える１組の可動接続突起を設置し、
該あごブラケット上方両端には、該メインブラケット体の可動接続突起と対応し、相互に可動状に接続する１組の可動接続部を形成し、
該各可動接続部上には、ピボットをそれぞれ設置し、これにより該メインブラケット体の可動接続突起の可動接続孔にそれぞれ対応し、
こうして、該あごブラケットと該メインブラケット体とは、可動状に接続して、一体に結合し、
これにより、該あごブラケットの前後傾斜角度を調整可能となる他、形状、サイズの異なるあごブラケットに交換することができ、
該あごブラケット上内側には、持上げ部を形成し、これにより該遮口カバーを外へと持上げ、こうして該遮蔽片と口、鼻との間に一定の間隔距離を空けることができ、
さらに、該メインブラケット体の両端には、該耳掛けベルトをそれぞれ嵌めて接続し、これにより耳に掛けて使用することができる。    
【考案の効果】
【０００５】
本考案の遮口カバーの構造は、唾液飛沫の飛散を防止し、あごブラケットは上下の高さ、前後の傾斜角度を調整でき、遮蔽片の取り外し、交換、取り付けを迅速に行うことができる。
【図面の簡単な説明】
【０００６】
【図１】本考案一実施例の立体分解図である。
【図２】本考案の立体図である。
【図３】本考案メインブラケット台とあごブラケットの拡大図である。
【図４】本考案において、異なる形状のあごブラケットを組み合わせる様子を示す立体図である。
【図５】本考案において、あごブラケットの傾斜を前後に調整する様子を示す実施例図である。
【図６】遮蔽片を交換可能な図１に示す構造の別種の実施例立体分解図である。
【図７】図６に示す組合せ棒状ベースとメインブラケット体組合せ時の断面図である。
【図８】本考案において、あごブラケットの上下位置を調整する実施例の立体分解図である。
【図９】図８の組合せ立体図である。
【図１０】本考案において、あごブラケットの上下高さ、及び前後傾斜を調整する実施例の立体分解図である。
【図１１】図１０の組合せ立体図である。
【図１２】図１０に示す取り外し、交換可能な遮蔽片の立体分解図である。
【図１３】図１２の組合せ立体図である。
【図１４】本考案別種の実施例の立体分解図である。
【図１５】本考案において、あごブラケットの前後傾斜を調整する実施例図である。
【図１６】本考案において、メインブラケット体中段に１個以上の通気孔を設置する実施例の局部立体図である。
【図１７】本考案において、メインブラケット体中段に１個以上の異なる形状の通気孔を設置する実施例の局部立体図である。
【図１８】本考案において、メインブラケット体に嵌接柱を設置し、あごブラケットに設置する嵌組槽孔と嵌合する実施例の局部立体分解図である。
【図１９】図１８に示すあごブラケットとメインブラケット体に設置する円形嵌合体の嵌合柱との組合せの実施例の局部立体分解図である。
【図２０】図１８に示すあごブラケットとメインブラケット体に設置する円形嵌合体の嵌合柱との組合せの実施例の局部立体図である。
【図２１】本考案あごブラケットとメインブラケット体の別種の実施例の局部立体分解図である。
【図２２】図２１に示すあごブラケットの前後傾斜を調整する実施例の局部立体図である。
【考案を実施するための形態】
【０００７】
以下に図面を参照しながら本考案を実施するための最良の形態について詳細に説明する。
【実施例】
【０００８】
図１、図２に示すように、本考案遮口カバーの構造は、メインブラケット体１、遮蔽片２、あごブラケット３、耳掛けベルト１２を備える。メインブラケット体１は、人の顔部分の曲線に近い弧状設計を呈する。遮蔽片２は、底縁がメインブラケット体１上に結合し、メインブラケット体１と共同で弧状曲面形態を形成する。メインブラケット体１内面中央には、可動接続孔１１１を備える１組の可動接続突起１１を設置する。あごブラケット３上方両端には、メインブラケット体１の可動接続突起１１と対応し、相互に可動状に接続する１組の可動接続部３１を形成する。各可動接続部３１上には、ピボット３１１をそれぞれ設置し、これにより、メインブラケット体１の可動接続突起１１の可動接続孔１１１にそれぞれ対応する。こうして、あごブラケット３とメインブラケット体１とは、可動状に接続して、一体に結合する。これにより、あごブラケット３の前後傾斜角度を調整可能(図５参照)となる他、形状、サイズの異なるあごブラケット３に交換することができる(図４参照)。同時に、あごブラケット３の可動接続部３１とメインブラケット体１の２個の可動接続突起１１の相対接触面上には、中心から四方へと放射状に延びる歯形３１２、１１２をそれぞれ設置する。相互に噛み合う歯形３１２、１１２の設計により、あごブラケット３の角度を調整する時には、各角度において定位することができる(図３参照)。あごブラケット３上内側には、持上げ部３３を形成する。これにより、遮口カバーを外へと持上げ、こうして遮蔽片２と口、鼻との間に一定の間隔距離を空けることができる。同時に、あごブラケット３持上げ部３３とメインブラケット体１間には、通気貫通孔槽３３１を形成する。さらに、メインブラケット体１中段には、通気貫通孔槽１６を設置する。こうして、導流設計を形成し、唾液の飛沫を効果的に遮り、装着者の口から吐き出された気体は、迅速に、２個の通気貫通孔槽３３１、１６から下方へと導流、排出される。同時に、遮蔽片２頂点縁中央位置には、欠口２２を設置する。これにより、鼻呼吸がスムーズになり、熱が遮蔽片２内に留まることはなく、装着時の快適感を大幅に高めることができる。さらに、メインブラケット体１の両端には、耳掛けベルト１２をそれぞれ嵌めて接続し、これにより耳に掛けて使用することができる。
【０００９】
図６、図７に示すように、遮蔽片２の底縁には、別に、組合せ棒状ベース２１を結合する。メインブラケット体１上には、組合せ棒状ベース２１両端を嵌入させる嵌槽１３を設置する。メインブラケット体１内面には、少なくとも１個の定位凹孔１４を設置する。組合せ棒状ベース２１上には、メインブラケット体１の定位凹孔１４と対応する定位凸部２１１を設置する。遮蔽片２を組み合わせる時には、その底縁の組合せ棒状ベース２１両端を、メインブラケット体１に設置する嵌槽１３内に、嵌めて組合せる。これにより、組合せ棒状ベース２１の定位凸部２１１と、メインブラケット体１の定位凹孔１４とは、相互に嵌合して定位される。こうして、遮蔽片２を迅速に取り外し、組み合わせて、交換することができる。同時に、メインブラケット体１及び組合せ棒状ベース２１中段には共に、通気貫通孔槽１６、２１２を設置する。これにより、装着者の口から吐き出された気体は、迅速に通気貫通孔槽３３１から下方へと導流、排出される。
【００１０】
図８、図９に示すように、本考案あごブラケット３を上下に調整可能な実施例では、メインブラケット体１内面中央には、レール槽１５１を備えるスライドレール台１５を設置する。あごブラケット３の対応位置には、レール板３２を設置する。これにより、レール板３２の２個の側縁３２１は、スライドレール台１５のレール槽１５１内に組み合わされる。こうして、あごブラケット３は、上下に高度調整が可能となる。さらに、レール板３２とスライドレール台１５との相対位置に設置する定位凸部３２２と定位凹孔１５２により、あごブラケット３を各高度に定位する目的を達成することができる。また、レール板３２の２個の側縁３２１の相対する外側において、あごブラケット３の持上げ部３３から、それぞれ制限板３３２を延伸して形成する。これにより、レール板３２の２個の側縁３２１が、スライドレール台１５のレール槽１５１内に組み合わされる時、１組の制限板３３２は、スライドレール台１５両外側に対応する。こうして、あごブラケット３は、上下に高さを調製する時、安定させることができる。同時に、あごブラケット３持上げ部３３のレール板３２両側とメインブラケット体１間には、それぞれ通気貫通孔槽３３１を形成する。これにより、装着者の口から吐き出された気体は、迅速に、通気貫通孔槽３３１から下方へと導流、排出される。こうして、あごブラケット３は、上下に調整可能な他、前後に傾斜角度を調整することもできる。また、図１に示すあごブラケット３の設計に、可動接続台４を増設する。可動接続台４とスライドレール台１５との相対位置には、レール板４２を設置する。これにより、レール板４２の２個の側縁４２１は、レール槽１５１内に組み合わされ、可動接続台４上方両端には、可動接続孔４１１を備える可動接続突起４１を設置し、あごブラケット３の２個のピボット３１１と可動接続孔４１１とを、可動接続させて結合する。同時に、あごブラケット３の可動接続部３１と可動接続台４の２個の可動接続突起４１との相対接触面上には、中心から四方へと放射状に延びる歯形３１２、４１２をそれぞれ設置する。相互に噛み合う歯形３１２、４１２の設計により、あごブラケット３の前後傾斜角度を調整する時には、各角度において定位することができる(図１０、１１参照)。同時に、あごブラケット３持上げ部３３と可動接続台４との間には、通気貫通孔槽３３１を形成する。これにより、装着者の口から吐き出された気体は、迅速に、通気貫通孔槽３３１から下方へと導流、排出される。同時に遮蔽片２頂点縁中央位置には、欠口２２を設置する。これにより、鼻呼吸がスムーズになり、熱が遮蔽片２内に留まることはなく、装着時の快適感を大幅に高めることができる。
【００１１】
図１０、図１１に示す構造の別種の実施例である図１２、図１３に示すように、本実施例では、同様に遮蔽片２底縁に別に、１組の組合せ棒状ベース２１を結合する。メインブラケット体１上には、組合せ棒状ベース２１両端を嵌入させる嵌槽１３を設置する。メインブラケット体１内面には、少なくとも１個の定位凹孔１４を設置する。組合せ棒状ベース２１上には、メインブラケット体１の定位凹孔１４と対応する定位凸部２１１を設置する。こうして、遮蔽片２を迅速に取り外し、組み合わせて、交換することができる。
【００１２】
図１４、図１５に示すように、排気効果を高めることができる遮口カバーの構造は、メインブラケット体１、遮蔽片２、あごブラケット３、耳掛けベルト１２を備える。メインブラケット体１は、人の顔部分の曲線に近い弧状設計を呈する。遮蔽片２は、底縁がメインブラケット体１上に結合し、メインブラケット体１中段に、端部に円形嵌合体１１３１を備える１組の嵌合柱１１３を設置する。あごブラケット３上には、１組の円形嵌合体１１３１と対応を形成し、相互に嵌合可能な弾性嵌接部３４を形成する。各弾性嵌接部３４は、少なくとも１組の弾性挟合部品３４１により構成され、その内部には、円形挟合空間３４２を形成し、メインブラケット体１に設置する嵌合柱１１端部の円形嵌合体１１３１を、あごブラケット３上の１組の弾性嵌接部３４内にそれぞれ組み合わせて入れる。こうして、弾性嵌接部３４の１組の弾性挟合部品３４１により円形嵌合体１１３１を、円形挟合空間３４２内に、挟合して定位する。これにより、あごブラケット３下端は、円形嵌合体１１３１を支点として、前後に調整され、あごブラケット３は、角度の調整を行う時、各角度に定位することができる。各円形嵌合体１１３１表面は共にラフ面で、これにより、円形嵌合体１１３１と弾性嵌接部３４の円形挟合空間３４２との摩擦力を増強することができる。あごブラケット３の持上げ部３３とメインブラケット体１間には、通気貫通孔槽３３１を形成する。
さらに、メインブラケット体１中段には、通気貫通孔槽１６を設置する。こうして、装着者の口から吐き出された気体は、迅速に、２個の通気貫通孔槽３３１、１６から下方へと導流、排出される。これにより、鼻呼吸がスムーズになり、熱が遮蔽片２内に留まることはなく、装着時の快適感を大幅に高めることができる。メインブラケット体１中段には、１個以上の異なる形状の通気孔１６１、１６２を設置する。これにより、装着者の口から吐き出された気体は、迅速に、導流、排出される(図１６、図１７参照)。
【００１３】
図１８に示すように、本考案の別種の実施例では、メインブラケット体１中段内面には、１組の嵌接柱を設置する。あごブラケット３上には、１組の嵌接柱１１４と対応する嵌組部３５を形成する。各嵌組部３５上には、１組の嵌接柱１１４と相互に嵌合する嵌組槽孔３５１を設置する。これにより、あごブラケット３は、メインブラケット体１と迅速に組み合わされ、及び取り外される。あごブラケット３持上げ部３３とメインブラケット体１との間には、通気貫通孔槽３３１を形成する。さらに、メインブラケット体１中段には、通気貫通孔槽１６を設置する。こうして、装着者の口から吐き出された気体は、迅速に、２個の通気貫通孔槽３３１、１６から下方へと導流、排出される。これにより、鼻呼吸がスムーズになり、熱が遮蔽片２内に留まることはなく、装着時の快適感を大幅に高めることができる。しかも、嵌組槽孔３５１を備えるあごブラケット３は、図１４に示すメインブラケット体１中段に設置する端部に円形嵌合体１１３１を備える嵌合柱１１３と、直接相互に嵌接して組み合わされる。これにより、共用性を高め、在庫を減らすことができる(図１９、図２０参照)。
【００１４】
最後に、図２１、図２２に示すように、本考案のさらに別種の実施例では、メインブラケット体１内面中央に、可動接続部１７を設置する。可動接続部１７両側には、対応するピボット１７１をそれぞれ設置する。あごブラケット３の対応する位置には、前端に開口を備える弾性嵌接部３６を設置する。各弾性嵌接部３６にはすべて嵌挟槽３６１を備え、可動接続部１７両側のピボット１７１を、それぞれあごブラケット３の弾性嵌接部３６前端開口から、嵌挟槽３６１内に入れる。こうして、あごブラケット３下端は、１組のピボット１７１を支点にして、前後に調整され、各ピボット１７１表面及び嵌挟槽３６１内面には共に、凸紋１７２、３６２を備え、こうして、挟持の摩擦力を増強することができる。  あごブラケット３持上げ部３３とメインブラケット体１との間には、通気貫通孔槽３３１を形成し、排気の目的を達成する。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１７】
１  メインブラケット体
１１、４１  可動接続突起
１１１、４１１  可動接続孔
１１２、３１２、４１２  歯形
１１３  嵌合柱
１１３１  円形嵌合体
１１４  嵌接柱
１２  耳掛けベルト
１３  嵌槽
１４、１５２  定位凹孔
１５  スライドレール台
１５１  レール槽
１６、２１２、３３１  通気貫通孔槽
１６１、１６２  通気孔
１７  可動接続部
１７１  ピボット
１７２、３６２  凸紋
２  遮蔽片
２１  組合せ棒状ベース
２２  欠口
２１１、３２２  定位凸部
３  あごブラケット
３１  可動接続部
３１１  ピボット
３２、４２  レール板
３２１、４２１  側縁
３３  持上げ部
３３１  通気貫通孔槽
３３２  制限板
３４、３６  弾性嵌接部
３４１  弾性挟合部品
３４２  円形挟合空間
３５  嵌組部
３５１  嵌組槽孔
３６１  嵌挟槽
４  可動接続台
【図１】
0003175269.tif 000003
【図２】
0003175269.tif 000004
【図３】
0003175269.tif 000005
【図４】
0003175269.tif 000006
【図５】
0003175269.tif 000007
【図６】
0003175269.tif 000008
【図７】
0003175269.tif 000009
【図８】
0003175269.tif 000010
【図９】
0003175269.tif 000011
【図１０】
0003175269.tif 000012
【図１１】
0003175269.tif 000013
【図１２】
0003175269.tif 000014
【図１３】
0003175269.tif 000015
【図１４】
0003175269.tif 000016
【図１５】
0003175269.tif 000017
【図１６】
0003175269.tif 000018
【図１７】
0003175269.tif 000019
【図１８】
0003175269.tif 000020
【図１９】
0003175269.tif 000021
【図２０】
0003175269.tif 000022
【図２１】
0003175269.tif 000023
【図２２】
0003175269.tif 000024